(57)【要約】利用者の位置の情報が入力される情報提供装置と、情報提供装置から出力される利用者に関する情報を表示する表示装置とを備え、情報提供装置は、利用者に関する情報を格納する利用者情報格納部と、表示装置の表示対象範囲に関する情報を格納する表示装置情報格納部と、利用者の位置が、表示装置の表示対象範囲内である場合に、利用者情報格納部において格納された利用者に関する情報を表示装置に送信する表示制御部と、を備える。
2009091026.tif 000002
【特許請求の範囲】
【請求項１】
利用者の位置の情報が入力される情報提供装置と、
前記情報提供装置から出力される前記利用者に関する情報を表示する表示装置とを備え、
前記情報提供装置は、
前記利用者に関する情報を格納する利用者情報格納部と、
前記表示装置の表示対象範囲に関する情報を格納する表示装置情報格納部と、
前記利用者の位置が、前記表示装置の前記表示対象範囲内である場合に、前記利用者情報格納部において格納された前記利用者に関する情報を前記表示装置に送信する表示制御部と、
を備えることを特徴とする利用者情報提示システム。
【請求項２】
前記利用者に関する情報は、前記利用者に対応するキャラクタの画像を含むことを特徴とする請求項１に記載の利用者情報提示システム。
【請求項３】
利用者の位置の情報が入力され、表示装置に前記利用者に関する情報を送信する情報提供装置であって、
前記利用者に関する情報を格納する利用者情報格納部と、
前記表示装置の表示対象範囲に関する情報を格納する表示装置情報格納部と、
前記利用者の位置が、前記表示装置の前記表示対象範囲内である場合に、前記利用者情報格納部において格納された前記利用者に関する情報を前記表示装置に送信する表示制御部と、
を備えた情報提供装置。
【請求項４】
利用者に関する情報を表示する表示部と、
前記利用者に関する情報を格納する利用者情報格納部と、
前記表示部の表示対象範囲に関する情報を格納する表示部情報格納部と、
入力された前記利用者の位置が、前記表示部の前記表示対象範囲内である場合に、前記利用者情報格納部において格納された前記利用者に関する情報を前記表示部に出力する表示制御部と、
を備えた情報提供装置。
【請求項５】
前記利用者に関する情報は、前記利用者に対応するキャラクタの画像を含むことを特徴とする請求項３又は４に記載の情報提供装置。
【請求項６】
利用者の位置の情報が入力され、表示装置に前記利用者に関する情報を送信する情報提供装置の情報提供方法であって、
表示装置情報格納部から前記表示装置の表示対象範囲に関する情報を取得し、
前記利用者の位置が、前記表示装置の前記表示対象範囲内である場合に、利用者情報格納部から前記利用者に関する情報を取得し、
前記表示装置に、取得された前記利用者に関する情報を送信する情報提供方法。
【請求項７】
利用者の位置の情報が入力され、表示部に前記利用者に関する情報を表示する情報提供装置の情報提供方法であって、
表示部情報格納部から前記表示部の表示対象範囲に関する情報を取得し、
前記利用者の位置が、前記表示部の前記表示対象範囲内である場合に、利用者情報格納部から前記利用者に関する情報を取得し、
取得された前記利用者に関する情報を前記表示部で表示する情報提供方法。
【請求項８】
前記利用者に関する情報は、前記利用者に対応するキャラクタの画像を含むことを特徴とする請求項６又は７に記載の情報提供方法。
【発明の詳細な説明】
【技術分野】
【０００１】
本発明は、利用者に関する情報を提示する、利用者情報提供装置、情報提示システム、及び利用者情報提示方法に関する。
【背景技術】
【０００２】
企業などの組織において、組織内メンバ間のコミュニケーションを図ることや、情報共有を行うことは、組織の生産性を向上する上で重要である。【０００３】
従来、人同士のコミュニケーションや情報共有を促進するシステムとして、特許文献１（知識共有促進システム）に記載されたシステムがある。【０００４】
この システムは、赤外線通信可能な携帯端末及び所定の位置に設定された赤外線通信可能な表示装置から構成される。【０００５】
携帯端末には利用者の個人プロフィール情報や履歴情報が格納されている。また、携帯端末は利用者により保持される。【０００６】
特許文献１の システムでは、利用者が、表示装置の赤外線通信圏内において、携帯端末を操作することにより、表示装置にエージェントが表示される。ここで、エージェントとは、その利用者に対応するキャラクタの画像である。【０００７】
そして、表示装置の画面上では、表示された複数のエージェントが、利用者の個人情報に基づいて画面上で擬似的な会話を行う様が提示され、この提示情報により、利用者同士のコミュニケーションや情報共有が促される。【０００８】
このように、特許文献１のシステムでは、表示装置近傍の利用者の個人情報を表示装置で提示することにより、人同士のコミュニケーションや情報共有を促進する。
【特許文献１】特許第３６１１５０９号公報
【発明の開示】
【発明が解決しようとする課題】
【０００９】
しかしながら、特許文献１のシステムでは、表示装置に表示する利用者の位置の範囲が 、表示装置との距離で単純に決定されてしまっていた。具体的には、利用者の携帯端末と表示装置が赤外線通信可能な範囲であるか否かで、表示の有無が決定されていた。【００１０】
そのため、特許文献１のシステムでは、システム運用者が、表示装置に表示する利用者の位置の範囲を柔軟に変更することができない、という課題があった。【００１１】
そこで、本発明の典型的な(exemplary)目的は、表示装置に表示される利用者の範囲を、運用者が任意に設定可能である利用者情報提供装置、利用者情報提示システム、及び利用者情報提示方法を提供することにある。
【課題を解決するための手段】
【００１２】
本発明の典型的な(exemplary)第１の観点によれば、システムとして、利用者の位置の情報が入力される情報提供装置と、
前記情報提供装置から出力される前記利用者に関する情報を表示する表示装置とを備え、
前記情報提供装置は、
前記利用者に関する情報を格納する利用者情報格納部と、
前記表示装置の表示対象範囲に関する情報を格納する表示装置情報格納部と、
前記利用者の位置が、前記表示装置の前記表示対象範囲内である場合に、前記利用者情報格納部において格納された前記利用者に関する情報を前記表示装置に送信する表示制御部と、
を備えることを特徴とする利用者情報提示システムが提供される。【００１３】
本発明の典型的な第２の観点によれば、装置として、利用者の位置の情報が入力され、表示装置に前記利用者に関する情報を送信する情報提供装置であって、
前記利用者に関する情報を格納する利用者情報格納部と、
前記表示装置の表示対象範囲に関する情報を格納する表示装置情報格納部と、
前記利用者の位置が、前記表示装置の前記表示対象範囲内である場合に、前記利用者情報格納部において格納された前記利用者に関する情報を前記表示装置に送信する表示制御部と、
を備えた情報提供装置が提供される。【００１４】
本発明の典型的な第３の観点によれば、装置として、利用者に関する情報を表示する表示部と、
前記利用者に関する情報を格納する利用者情報格納部と、
前記表示部の表示対象範囲に関する情報を格納する表示部情報格納部と、
入力された前記利用者の位置が、前記表示部の前記表示対象範囲内である場合に、前記利用者情報格納部において格納された前記利用者に関する情報を前記表示部に出力する表示制御部と、
を備えた情報提供装置が提供される。【００１５】
本発明の典型的な第４の観点によれば、方法として、利用者の位置の情報が入力され、表示装置に前記利用者に関する情報を送信する情報提供装置の情報提供方法であって、
表示装置情報格納部から前記表示装置の表示対象範囲に関する情報を取得し、
前記利用者の位置が、前記表示装置の前記表示対象範囲内である場合に、利用者情報格納部から前記利用者に関する情報を取得し、
前記表示装置に、取得された前記利用者に関する情報を送信する情報提供方法が提供される。【００１６】
本発明の典型的な第５の観点によれば、方法として、利用者の位置の情報が入力され、表示部に前記利用者に関する情報を表示する情報提供装置の情報提供方法であって、
表示部情報格納部から前記表示部の表示対象範囲に関する情報を取得し、
前記利用者の位置が、前記表示部の前記表示対象範囲内である場合に、利用者情報格納部から前記利用者に関する情報を取得し、
取得された前記利用者に関する情報を前記表示部で表示する情報提供方法が提供される。 【００１７】
本願は、２００８年１月１８日に出願された特願２００８−００９１２０号に基づき、優先権の利益を主張するものである。そして、特願２００８−００９１２０号の内容は本願の明細書の内容に含まれる。
【発明の効果】
【００１８】
本発明によれば、表示装置に表示する利用者の位置の範囲を、システムの運用者が柔軟に設定することが可能となる。
【図面の簡単な説明】
【００１９】
【図１】本発明の実施の形態の利用者情報提示システムの主要構成を示すブロック図である。
【図２】本発明の実施の形態の利用者情報提示システムの利用者情報格納部に格納されるデータの一例を示す図である。
【図３】本発明の実施の形態の利用者情報提示システムが動作する環境の一例を示す図である。
【図４】本発明の実施の形態の利用者情報提示システムの表示装置情報格納部に格納されるデータの一例を示す図である。
【図５】本発明の実施の形態の利用者情報提示システムの表示制御部において行われる処理の流れを示すフローチャート図である。
【図６】本発明の実施の形態の利用者情報提示システムの表示装置に出力される映像の一例を示す図である。
【図７】本発明の他の実施の形態の情報提供装置の構成を示すブロック図である。
【図８】本実施形態の情報提供装置を構成するコンピュータの一構成例を示すブロック図である。
【符号の説明】
【００２０】
５０  ネットワーク
１００  情報提供装置
１１０  測位部
１２０  表示制御部
１３０  利用者情報格納部
１４０  表示装置情報格納部
２００、２０１、２０２  表示装置
３００  測位システム
【発明を実施するための最良の形態】
【００２１】
次に本発明の典型的な(exemplary)実施形態について図面を参照して詳細に説明する。【００２２】
（システムの構成）
本実施形態の利用者情報提示システムの主要構成を図１に示す。【００２３】
本実施形態のシステムは、情報提供装置１００と、３つの表示装置２００，２０１，２０２と、情報提供装置１００と表示装置２００とを接続するネットワーク５０とによって構成されている。ここでは、表示装置は３つ設けているが、表示装置の数はこの数に限定されず、１つでもよい。測位システム３００は情報提供装置１００に利用者の位置情報を出力する。表示装置は、液晶表示装置、プラズマ表示装置、スクリーンに表示を投影する投影型液晶プロジェクタ等を用いることができる。【００２４】
情報提供装置１００は、測位システム３００から利用者の位置情報を取得する機能を有する測位部１１０と、表示装置２００への表示内容を制御する機能を有する表示制御部１２０と、利用者の情報を格納する機能を有する利用者情報格納部１３０と、表示装置２００の情報を格納する機能を有する表示装置情報格納部１４０とを有する。【００２５】
測位システム３００は、利用者の位置情報を取得、提供する機能を有する。ここで、測位システム３００の構成例について説明する。【００２６】
測位システム３００は、例えば、ＧＰＳ（Global Positioning System）機能及び通信機能を有する複数の携帯端末と、これらの携帯端末からＧＰＳ機能によって測位された測位結果を取得する、測位サーバを有する。【００２７】
携帯端末は利用者により携帯される。測位サーバは、利用者の位置情報を要求された際に、携帯端末と通信を行い、携帯端末のＧＰＳ機能で取得された位置情報を取得し、要求元に応答する。【００２８】
このようにして、測位システム３００は利用者の位置情報の提供を実現する。【００２９】
なお、ここで述べた測位システム３００の構成や測位手法は一例であり、利用者の位置情報の取得・提供が可能であれば、他の構成であっても構わない。【００３０】
利用者情報格納部１３０には利用者の情報が格納される。格納される利用者の情報の例としては、例えば、利用者の所属や氏名などのプロフィール情報がある。【００３１】
また、他の例としては、利用者の分身として画面に表示されるキャラクタであるアバターの形状についての情報がある。【００３２】
図２に、利用者情報格納部１３０に格納される利用者の情報の例を示す。【００３３】
この例では 、利用者毎に、その識別子、氏名、所属、役職、アバター形状の情報が格納されている。【００３４】
例えば、「００００１：山田太郎：第一営業部：課長：（アバター形状情報）」という行は、利用者を識別する識別子が００００１である利用者について、氏名が山田太郎であり、所属が第一営業部であり、役職が課長(section chief)であることを意味している。また、「００００２：佐藤次郎：第二開発部：係長：（アバター形状情報）」という行は、利用者を識別する識別子が００００２である利用者について、氏名が佐藤次郎であり、所属が第二開発部であり、役職が係長(subsection chief)であることを意味している。【００３５】
なお、図２に示した各情報はあくまでも例示であり、利用者情報格納部１３０には、利用者に関わる情報であれば、例示したもの以外の他の情報を格納して構わない。【００３６】
表示装置情報格納部１４０には、各表示装置について、その表示対象とする範囲に関する情報が格納される。【００３７】
システムの運用者は利用者に関わる情報を事前に設定することができる。【００３８】
ここで、具体的な部屋の図面を用いて、表示装置情報格納部１４０に格納される情報について説明する。図３は、本システムが動作する環境の例を示した図である。この図は、特定の部屋を上から見た図であり、表示装置の配置及び各表示装置が表示対象とする範囲が示されている。利用者の位置情報から、この範囲に利用者が位置していると判断された場合に表示装置に利用者に関わる情報が表示される。【００３９】
この例では、３台の表示装置が配置され、それぞれ異なる形状の表示範囲を有している。この例に対応する表示装置情報格納部内の情報を図４に示す。【００４０】
ここでは、各表示装置に対応する表示対象範囲が、範囲の頂点座標を時計回り順に選択した座標集合により表されている。【００４１】
図１に示す表示装置２００は識別子が００１である表示装置、表示装置２０１は識別子が００２である表示装置、表示装置２０２は識別子が００３である表示装置に対応している。例えば、「００１：（（０，１００），（２００，１００），（２００，４００），（０，４００））」という行は、識別子が００１である表示装置の表示対象範囲が、（０，１００），（２００，１００），（２００，４００），（０，４００）の４つの座標を順に結んだ領域である、ということを意味している。また、「００２：（（２５０，３５０），（５５０，３５０），（５００，５００），（３００，５００））」という行は、識別子が００２である表示装置の表示対象範囲が、（２５０，３５０），（５５０，３５０），（５００，５００），（３００，５００）の４つの座標を順に結んだ領域である、ということを意味している。「００３：（（６００，１００），（８００，１００），（７００，３００））」という行は、識別子が００３である表示装置の表示対象範囲が、（６００，１００），（８００，１００），（７００，３００）の３つの座標を順に結んだ領域である、ということを意味している。【００４２】
このように、表示装置情報格納部１４０には、表示装置と表示対象範囲の対応が管理される。なお、ここでの表示対象範囲の表現方法は一例であり、システムが表示対象範囲を識別可能な表現方法であれば、他の方法を用いて構わない。【００４３】
（システムの動作）
次に、本実施形態の利用者情報提示システムの動作の詳細について説明する。利用者情報の提示処理は、主に表示制御部１２０により実行される。【００４４】
以下、表示制御部１２０の処理を図を用いて詳細に説明する。【００４５】
図５は、表示制御部１２０の処理の流れを示す図である。表示制御部１２０は、規定の時間毎に図５に示した処理を繰り返し実行する。【００４６】
まず、表示制御部１２０は、測位部１１０から 、所定の利用者の位置情報を取得する（ステップＳ１１）。【００４７】
具体的には、システムの利用者について、利用者の識別子と、その位置情報との組の情報を取得する。【００４８】
次に、表示制御部１２０は、表示装置情報格納部１４０に登録されている所定の表示装置２００について、順に、ステップＳ１２以降の処理を実行する。【００４９】
まず、表示制御部１２０は、表示装置情報格納部１４０から、今回処理対象となる表示装置２００、２０１、２０２の表示対象範囲の情報を取得する（ステップＳ１２）。【００５０】
次に、表示制御部１２０は、ステップＳ１１で取得した利用者の位置情報の各々と、ステップＳ１２で取得した表示対象範囲とを比較し、表示装置２００の表示対象範囲内に存在する利用者の有無を判定する（ステップＳ１３）。【００５１】
ステップＳ１３において、表示装置２００の表示対象範囲内に利用者が１人以上存在する場合（ステップＳ１３においてＹＥＳ）、表示制御部１２０は、表示対象範囲内に存在する利用者について、利用者情報格納部１３０から対応情報を取得する（ステップＳ１４）。【００５２】
次に、表示制御部１２０は、ステップＳ１４で取得した利用者情報を用いて、表示装置２００に出力する映像の情報を生成し、これを、表示装置２００にネットワーク５０を介して送信する（ステップＳ１５）。例えば、識別子が００１である表示装置２００の表示対象範囲に、図２で示した二人の利用者がいる場合には、表示制御部１２０は図２に示した情報を表示装置２００に送信する。【００５３】
表示装置２００は受信した映像情報を画面に出力する。【００５４】
ここで生成、表示される映像は、映像を視る人に対し、利用者に関する情報を提供する内容となる。【００５５】
図６に、表示装置２００が出力する映像の例を示す。【００５６】
この例では、２人の利用者に対応するアバターが、そのプロフィール情報とともに表示されている。【００５７】
例えば、図６の左側のキャラクタは、山田太郎という氏名の利用者に対応しており、その所属が「第一営業部」であり、役職が「課長」である、ということを表している。図６の左側のキャラクタは、佐藤次郎という氏名の利用者に対応しており、その所属が「第二開発部」であり、役職が「係長」である、ということを表している。【００５８】
なお、この映像は一例であり、表示制御部１２０が生成する映像は、利用者情報を表現する映像であれば、他の内容の映像、又は図６の映像に他の映像を加えた映像であって構わない。【００５９】
ステップＳ１３において、表示装置２００の表示対象範囲内の利用者が存在しない場合（ステップＳ１３においてＮＯ）、表示制御部１２０は、表示装置２００に関する処理を終える。【００６０】
次に、表示制御部１２０は、以上のステップＳ１２からステップＳ１５の処理を、すべての表示装置２００、２０１、２０２について実行したか判断する。そして全ての表示装置２００、２０１、２０２について実行した場合は処理を終了する。一方、未処理の表示装置があるのであればステップＳ１２からステップＳ１５の処理を繰り返し実行する（ステップＳ１６）。ここでは、表示装置２０１、２０２については処理が実行されていないので、表示装置２０１、２０２について、ステップＳ１２からステップＳ１５の処理を繰り返し実行する。【００６１】
以上の処理により、本実施の形態のシステムは、表示装置情報格納部１４０に格納された表示対象範囲の情報に基づいて、表示装置２００、２０１、２０２に利用者の情報を出力する。なお、図５のフローチャートでは表示装置２００、２０１、２０２について順次ステップＳ１２〜Ｓ１５についての処理を行ったが、表示制御部１２０は、表示装置２００、２０１、２０２について一括して処理し、映像の情報を表示装置に送信することもできる。【００６２】
（実施形態の変形）
上述の実施形態では、表示制御部１２０が映像情報を生成して、表示装置２００、２０１、２０２に送信する、としていた。【００６３】
しかし、表示制御部１２０が映像で必要とされる利用者情報を表示装置２００、２０１，２０２に送信し、表示装置２００が、これらの利用者情報から映像情報を生成、表示する、としてもよい。すなわち、表示装置２００、２０１、２０２に利用者情報から映像情報を生成、表示する機能を備えさせてもよい。【００６４】
また、上述の実施形態では、表示装置２００、２０１、２０２に表示される利用者の映像は、利用者情報格納部１３０に格納されている利用者情報によって決定される、としていた。【００６５】
しかし、表示制御部１３０が、利用者情報格納部１３０に格納されている利用者情報だけでなく、他の情報を用いて、映像を決定する、としてもよい。【００６６】
例えば、何らかのセンサにより利用者の振舞いを測定し、その結果に基づいて、表示される利用者のアバターの形状を変更する、としてもよい。あるいは、例えば、利用者のプレゼンス情報を取得し、その結果に基づいて、表示される利用者のアバターの形状を変更する、としてもよい。あるいは、例えば、表示対象範囲内の利用者の人数情報を取得し、その結果に基づいて、表示される利用者のアバターの形状や大きさを変更する、としてもよい。【００６７】
なお、実施形態では映像として示したが画像でもよい。【００６８】
以上説明した本発明の実施形態を用いることにより、以下のような効果が得られる。【００６９】
表示装置近傍の利用者の情報を表示装置に出力するシステムにおいて、システム運用者が表示装置に利用者が表示される範囲を柔軟に変更することができる、という効果を得られる。【００７０】
また、システム運用者が決定した、表示装置に利用者が表示される範囲が、利用者の移動などの外的要因に影響されない、という効果を得られる。【００７１】
図１に示した情報提供装置は、表示装置とは分離されているが、図７に示すように、情報提供装置が表示部１５０を備えていてもよい。図７は本発明の他の実施の形態の情報提供装置の構成を示すブロック図である。図７では、表示装置情報格納部１４０の替わりに表示装置情報格納部１４０と同様の機能を有する表示部情報格納部１４１が設けられている点を除いて図１の構成と同様である。【００７２】
更に、システム運用者が、表示装置に表示される情報を柔軟に変更することができる、 という効果を得られる。【００７３】
本発明の実施形態である利用者情報提示システム及び情報提供装置は、ハードウェア、ソフトウェア又はこれらの組合せにより実現することができる。
情報提供装置をソフトウェアで構成する場合は、図５に示したフロー（測位部１１０、表示制御部１２０の機能を示すフロー）を記述したプログラムを、ハードディスク等の記憶部に記憶し、制御部となるＣＰＵがプログラムプログラムに従って処理（制御）を実行することにより、利用者情報提示システムの機能を実現することができる。【００７４】
図８は本実施形態の情報提供装置を構成するコンピュータの一構成例を示すブロック図である。【００７５】
図１に示す、情報提供装置１００の測位部１１０、表示制御部１２０の機能を記述したプログラムをハードディスク装置等のディスク装置１１０１に記憶し、利用者情報格納部１３０、表示装置情報格納部１４０のデータをディスク装置１１０１に記憶する。ＣＰＵ１１００により測位部１１０、表示制御部１２０の機能を実現するプログラムが実行される。入力部１１０５はキーボード等の入力デバイスで、利用者情報格納部１３０、表示装置情報格納部１４０となるディスク装置１１０１に記録される情報（例えば図２に示す情報）を入力する。表示部１１００は液晶表示装置、プラズマ表示装置等である。１１０６はデータバス等のバス、１１０２はＣＰＵ１１０３の情報処理に必要な情報を記憶するＤＲＡＭ等のメモリを示す。Ｉ／Ｏデバイス１１０４は図１の表示装置２００〜２０２に情報を送信する通信部となる。【００７６】
なお、上記プログラム（プログラムプロダクトともいう）はＦＤ（フロッピィディスク）、ＣＤＲＯＭ、ＤＶＤ、フラッシュメモリ等のコンピュータ読み取り可能な情報記録媒体に記録することができる。図８では記憶部としてディスク装置を用いているが、ＦＤ、ＣＤＲＯＭ等のコンピュータ読み取り可能な情報記録媒体に記録されたプログラムを上記コンピュータのディスク装置に読み込み、処理を実行することで、情報提供装置として機能させることができる。【００７７】
以上、本発明の代表的な実施形態について説明したが、本発明は、本願の請求の範囲によって規定される、その精神または主要な特徴から逸脱することなく、他の種々の形で実施することができる。そのため、前述した各実施形態は単なる例示にすぎず、限定的に解釈されるべきではない。本発明の範囲は特許請求の範囲によって示すものであって、明細書や要約書の記載には拘束されない。さらに、特許請求の範囲の均等範囲に属する変形や変更はすべて本発明の範囲内のものである。
【図１】
2009091026.tif 000003
【図２】
2009091026.tif 000004
【図３】
2009091026.tif 000005
【図４】
2009091026.tif 000006
【図５】
2009091026.tif 000007
【図６】
2009091026.tif 000008
【図７】
2009091026.tif 000009
【図８】
2009091026.tif 000010
【手続補正書】
【提出日】平成21年11月18日(2009.11.18)
【手続補正１】
【補正対象書類名】特許請求の範囲
【補正対象項目名】全文
【補正方法】変更
【補正の内容】
【特許請求の範囲】
【請求項１】
利用者に関する情報を表示装置に送信する情報提供装置と、
前記利用者の位置を測位する測位装置と、を備え、
前記情報提供装置は、
前記利用者に関する情報を格納する利用者情報格納部と、
前記表示装置に表示する利用者の位置の条件として定義され、任意の形状で設定可能な表示対象範囲を、前記表示装置と対応づけて格納する表示装置情報格納部と、
前記測位された利用者の位置が、前記表示対象範囲内であるかどうかを判断し、前記表示対象範囲内である場合に、前記表示対象範囲に関連付けられた表示装置に前記利用者に関する情報を送信する表示制御部と、
を備えることを特徴とする利用者情報提示システム。
【請求項２】
前記利用者に関する情報は、前記利用者に対応するキャラクタの画像を含むことを特徴とする請求項１に記載の利用者情報提示システム。
【請求項３】
利用者の位置の情報が入力され、表示装置に前記利用者に関する情報を送信する情報提供装置であって、
前記利用者に関する情報を格納する利用者情報格納部と、
前記表示装置に表示する利用者の位置の条件として定義され、任意の形状で設定可能な表示対象範囲を、前記表示装置と対応づけて格納する表示装置情報格納部と、
前記利用者の位置が、前記表示対象範囲内であるかどうかを判断し、前記表示対象範囲内である場合に、前記表示対象範囲に関連付けられた表示装置に前記利用者に関する情報を送信する表示制御部と、
を備えた情報提供装置。
【請求項４】
利用者に関する情報を表示する表示部と、
前記利用者に関する情報を格納する利用者情報格納部と、
前記表示部に表示する利用者の位置の条件として定義され、任意の形状で設定可能な表示対象範囲を格納する表示部情報格納部と、
入力された前記利用者の位置が、前記表示対象範囲内であるかどうかを判断し、前記表示対象範囲内である場合に、前記利用者に関する情報を前記表示部に出力する表示制御部と、
を備えた情報提供装置。
【請求項５】
前記利用者に関する情報は、前記利用者に対応するキャラクタの画像を含むことを特徴とする請求項３又は４に記載の情報提供装置。
【請求項６】
利用者の位置の情報が入力され、表示装置に前記利用者に関する情報を送信する情報提供装置の情報提供方法であって、
前記表示装置に表示する利用者の位置の条件として定義され、任意の形状で設定可能な表示対象範囲を、前記表示装置と対応づけて表示装置情報格納部に格納し、
前記表示装置情報格納部から前記表示対象範囲に関する情報を取得し、
前記利用者の位置が、前記表示対象範囲内であるかどうかを判断し、前記表示対象範囲内である場合に、利用者情報格納部から前記利用者に関する情報を取得し、
前記表示対象範囲に関連付けられた表示装置に、取得された前記利用者に関する情報を送信する情報提供方法。
【請求項７】
利用者の位置の情報が入力され、表示部に前記利用者に関する情報を表示する情報提供装置の情報提供方法であって、
前記表示部に表示する利用者の位置の条件として定義され、任意の形状で設定可能な表示対象範囲を表示装置情報格納部に格納し、
前記表示部情報格納部から前記表示部の表示対象範囲に関する情報を取得し、
前記利用者の位置が、前記表示対象範囲内であるかどうかを判断し、前記表示対象範囲内である場合に、利用者情報格納部から前記利用者に関する情報を取得し、
取得された前記利用者に関する情報を前記表示部で表示する情報提供方法。
【請求項８】
前記利用者に関する情報は、前記利用者に対応するキャラクタの画像を含むことを特徴とする請求項６又は７に記載の情報提供方法。
【国際調査報告】
2009091026.tif 000011
2009091026.tif 000012
2009091026.tif 000013
2009091026.tif 000014